(57)【要約】【課題】ミキシング装置において、ユーザーが特別な操作をすることなく、モニター出力チャンネルを自動的に切り替える。【解決手段】ミキシング装置において、入力された第１、第２のオーディオ信号をクロスフェーダー部の操作によるミックスバランスに調節し加算するミックスバランス調節部と、ミックスバランス調節処理されたオーディオ信号をスピーカ等に出力するマスター出力部と、ミックスバランス調節処理されたオーディオ信号をミックスバランス調節処理時間分だけ遅延させてミックスバランス調節部からマスター出力部に出力されたオーディオ信号を音量調節後減算する減算処理部と、減算処理したオーディオ信号をヘッドフォン等に出力するモニター出力部を備える。【選択図】  図１
2014068292.tif 000002
【特許請求の範囲】
【請求項１】
第１のオーディオ信号を入力する第１の入力部と、
第２のオーディオ信号を入力する第２の入力部と、
前記第１の入力部から入力された第１のオーディオ信号と前記第２の入力部から入力された第２のオーディオ信号のミックスバランスを操作するクロスフェーダー部と、
前記第１のオーディオ信号及び第２のオーディオ信号を前記クロスフェーダー部によって操作されたミックスバランスに調節処理するミックスバランス調節部と、
前記ミックスバランス調節部がミックスバランスを調節し加算したオーディオ信号を外部に出力するマスター出力部と、
前記ミックスバランス調節部が加算したオーディオ信号を前記ミックスバランス調節部の調節処理時間分だけ遅延させて前記ミックスバランス調節部が前記マスター出力部に出力したオーディオ信号を音量調節後減算する減算処理部と、
前記減算処理部が減算したオーディオ信号をモニター出力するモニター出力部を備えることを特徴とするミキシング装置。
【発明の詳細な説明】
【技術分野】
【０００１】
本発明は、ミキシング装置に関する。
【背景技術】
【０００２】
クラブ、ディスコ等における、ディスクジョッキー（Disc Jockey (DJ)）やヴィジュアルジョッキー（Visual Jockey (VJ)）の演奏に特化した音声や映像等をミキシング処理するためのミキシング装置では、入力音声を一旦、バス(Bus)Ａ、バスＢの信号経路に送り、クロスフェーダーを用いて、バスＡ、バスＢから入力された音声または映像のミックスバランスを調整してミックスした後、マスターバスに送り出力する。
【０００３】
DJは、ミキシング装置によって楽曲をミックスする際、予め、マスターバスに出力する前の音をヘッドフォンでモニターし、拍を合わせる・頭出しをする等の操作を行う。
【０００４】
通常、ミキシング装置には、モニターする信号系統(チャンネル(Channel(CH)))を決定するボタンまたはスイッチを備え、ユーザーは、このボタンまたはスイッチを操作し任意な単一または複数のチャンネルを選択することで、ヘッドフォン等でモニターするCHを決定する。
【０００５】
このようなモニター出力の選択に関する先行技術として、編集対象の選択操作に連動してエフェクタの挿入されているチャンネル部の信号をモニターできるディジタルミキサ装置があった（特許文献１参照）。
【先行技術文献】
【特許文献】
【０００６】
【特許文献１】特開２００６−０３３１６６号公報
【発明の概要】
【発明が解決しようとする課題】
【０００７】
DJ演奏において、スクラッチやビートジャグリングといった高度な演奏テクニックを使用するバトルDJと呼ばれるジャンルがある。上記演奏テクニックでは、モニター対象のCHが非常に短い時間で変化していく。そのため、特にバトルDJにおいて、モニターする音源が変わるたびにCUEボタンをON/OFFする、という操作は非常に面倒であり、かつDJ演奏の邪魔になることがあった。
また、バトルDJに限らず、モニターする音源が変わるとき、各CHのCUEボタンをON/OFFする操作をなくすことができれば、DJ演奏操作が簡単になる。
【０００８】
特許文献１に示された先行技術は、バトルDJのような非常に短い時間で変化するモニター対象に対応して、モニター出力するチャンネルを変更するものではなかった。
【０００９】
本願発明は、ミキシング装置において、ユーザーが特別な操作をすることなく、モニターするべきチャンネルを自動的に切り替えることができるようにすることを目的とする。
【課題を解決するための手段】
【００１０】
本願発明に係るミキシング装置は、第１のオーディオ信号を入力する第１の入力部と、第２のオーディオ信号を入力する第２の入力部と、前記第１の入力部から入力された第１のオーディオ信号と前記第２の入力部から入力された第２のオーディオ信号のミックスバランスを操作するクロスフェーダー部と、前記第１のオーディオ信号及び第２のオーディオ信号を前記クロスフェーダー部によって操作されたミックスバランスに調節処理するミックスバランス調節部と、前記ミックスバランス調節部がミックスバランスを調節し加算したオーディオ信号を外部に出力するマスター出力部と、前記ミックスバランス調節部が加算したオーディオ信号を前記ミックスバランス調節部の調節処理時間分だけ遅延させて前記ミックスバランス調節部が前記マスター出力部に出力したオーディオ信号を音量調節後減算する減算処理部と、前記減算処理部が減算したオーディオ信号をモニター出力するモニター出力部を備えるものである。
【発明の効果】
【００１１】
本発明のミキシング装置によれば、ユーザーが特別な操作をすることなく、モニターするべきチャンネルを自動的に切り替えることができる。
また、ミックスバランスが低く聞こえ辛いCHは大きい音量でモニターでき、ミックスバランスが大きく、スピーカ等から大きい音量で出力しているCHにおいては他のモニターするCHを邪魔しないよう、音量を小さく抑えることができる。
【図面の簡単な説明】
【００１２】
【図１】本発明のミキシング装置の一実施形態の概略構成を示す図である。
【発明を実施するための形態】
【００１３】
図１は、本発明のミキシング装置の一実施形態の概略構成を示す図である。
入力部１、入力部２は、それぞれのチャンネルのオーディオ信号を入力する。
信号処理部３は、入力部１、入力部２からそれぞれ入力されたオーディオ信号に信号処理を施す。信号処理部３は、ミックスバランス調節部３ａ、減算処理部３ｂを備える。
【００１４】
ミックスバランス調節部３ａは、入力部１と入力部２からそれぞれ入力されるオーディオ信号のミックスバランスを調節し加算処理する。
減算処理部３ｂは、ミックスバランス調節部３ａによって加算されたオーディオ信号から、信号処理部３からマスター出力部に出力されるオーディオ信号を減算処理する。
【００１５】
操作部４は、クロスフェーダー部４ａ、各種の操作ボタン、スイッチ等を備え、ユーザーの操作によって操作信号を信号処理部３に入力する。このとき、信号処理部３は、操作部４からの操作信号に対応した信号処理を行う。
マスター出力部５は、信号処理部３からのオーディオ信号を外部に接続されたスピーカ等に出力する。
モニター出力部６は、信号処理部３からのオーディオ信号を外部に接続されたヘッドフォン等にモニター出力する。
【００１６】
クロスフェーダー部４ａは、ユーザーの操作により、オーディオ信号のミックスバランスを調節するための操作信号を信号処理部３に出力する。
信号処理部３では、クロスフェーダー部４ａからの操作信号が入力されると、ミックスバランス調節部３ａにより、入力部１と入力部２からそれぞれ入力されるオーディオ信号のミックスバランスを、クロスフェーダー部４ａの操作によって指示されたミックスバランスに調節し合成（ミックス）処理する。
【００１７】
信号処理部３では、ミックスバランス調節部３ａによって加算処理されたオーディオ信号をマスター出力部５に出力するとともに、分岐して信号処理部３に入力する。減算処理部３ｂは、ミックスバランス調節部３ａが加算したオーディオ信号を、ミックスバランス調節部３ａの調節処理に要した時間分だけ遅延させて、ミックスバランス調節部３ａから出力されたオーディオ信号を音量調節後減算する。
【００１８】
以上、本実施例のように構成したミキシング装置によれば、入力音全てからスピーカに出力されている音声を除いた音を、常にモニター出力することができる。
これにより、ユーザーはCUEボタンを押してモニターCHを切り替える動作をしなくても、常に、頭出しを行う等の用途で、マスター出力部から音声出力をしていないCHをモニターすることができる。
また、本実施例のミキシング装置によれば、ミックスバランスが低く聞こえ辛いCHは大きい音量としてモニターすることができ、ミックスバランスが大きく、マスター出力からスピーカ等に大きい音量で出力しているCHにおいては、他のモニターするCHを邪魔しないよう、音量を小さく抑えてモニターすることができる。
【００１９】
本実施例では、入力数を２チャンネルとしたが、３チャンネル以上のオーディオ信号を入力する構成、また、３チャンネル以上の入力から任意の２チャンネルを選択して割り当てる構成としても、本発明を実施することができる。
本発明は、ミキシング装置に限らず、モニタリング専用の装置として実施することもできる。
【符号の説明】
【００２０】
１、２  入力部
３  信号処理部
３ａ  ミックスバランス調節部
３ｂ  減算処理部
４  操作部
４ａ  クロスフェーダー部
５  マスター出力部
６  モニター出力部
【図１】
2014068292.tif 000003